(57)【要約】      （修正有）【課題】表示部を反転して撮影をする自分撮りモード等のタッチパネルへのタッチ操作によってユーザが指示をするモードの場合に、タッチパネルが非表示になる可能性を低減させる撮像制御装置を提供する。【解決手段】所定の表示アイテムへのタッチ操作を受付可能な第一の表示手段の所定の表示アイテムへのタッチ操作に基づく画像処理が実行される第一の撮影モードとタッチ操作に基づき画像処理が実行されない第二の撮影モードを選択可能な選択手段と、第一の表示手段を非表示にする操作を受け付ける操作手段と、第二の撮影モードの場合に、操作手段に対する操作に応じて第一の表示手段を非表示にし、第一の撮影モードの場合には、操作手段に対する前記操作がされても第一の表示手段における表示を非表示にしないように制御する制御手段とを有する。【選択図】図３
2019198076.tif 000002
【特許請求の範囲】
【請求項１】
少なくとも所定の表示アイテムに対するタッチ操作を受付可能な第一の表示手段に表示された前記所定の表示アイテムに対するタッチ操作に基づいた所定の画像処理が実行される第一の撮影モードと、前記タッチ操作に基づいて前記所定の画像処理が実行されない第二の撮影モードを選択可能な選択手段と、
前記第一の表示手段を非表示にするための操作を受け付ける前記第一の表示手段とは異なる位置に備えられた操作手段と、
前記第二の撮影モードの場合に、前記操作手段に対する前記操作に応じて前記第一の表示手段における表示を非表示にし、
前記第一の撮影モードの場合には、前記操作手段に対する前記操作がされても前記第一の表示手段における表示を非表示にしないように制御する制御手段と、を有することを特徴とする撮像制御装置。
【請求項２】
前記第一の表示手段がユーザからのタッチ操作を受け付けない第一の位置か否かを検出する検出手段をさらに有し、
前記制御手段は、前記第一の撮影モードにおいて、前記検出手段によって前記第一の表示手段が前記第一の位置であることが検出された場合に、前記操作手段に対する前記操作に応じて、ユーザからのタッチ操作を受け付けない第二の表示手段に表示をするようにし、前記第一の撮影モードにおいて、前記検出手段によって前記第一の表示手段が前記第一の位置ではないことが検出された場合に、前記操作手段に対する前記操作がされても、前記第二の表示手段に表示をしないように制御することを特徴とする請求項１に記載の撮像制御装置。
【請求項３】
前記制御手段は、前記第二の撮影モードにおいて、前記操作手段に対する前記操作に応じて、ユーザからのタッチ操作を受け付けない第二の表示手段に表示をするように制御することを特徴とする請求項１または２に記載の撮像制御装置。
【請求項４】
前記操作手段は、前記第一の表示手段における表示を非表示にすると共に、ユーザからのタッチ操作を受け付けない第二の表示手段において表示をさせることを特徴とする請求項１乃至３のいずれか１項に記載の撮像制御装置。
【請求項５】
前記第一の撮影モードは、撮影者自身が被写体となる自分撮りモードであることを特徴とする請求項１乃至４のいずれか１項に記載の撮像制御装置。
【請求項６】
前記第二の撮影モードは、オート撮影モード、オートシーン判別モード、マニュアルモード、ポートレートモード、プログラムＡＥモード、カスタムモードの少なくとも何れかであることを特徴とする請求項１乃至５のいずれか１項に記載の撮像制御装置。
【請求項７】
前記第二の表示手段は、接眼して視認する電子ビューファインダであることを特徴とする請求項３または４に記載の撮像制御装置。
【請求項８】
前記第一の表示手段は、当該撮像制御装置の本体部に回転可能に設けられており、
前記第一の表示手段の前記第一の位置は、前記第一の表示手段の表示面が前記本体部に対向して閉じられた位置であることを特徴とする請求項２に記載の撮像制御装置。
【請求項９】
前記所定の画像処理は画像に効果をかける処理であり、前記効果には被写体の肌をなめらかにする美肌効果、しみを目立たなくする効果、顔や体を細く表示する効果、顔のしわを消す効果の少なくとも一つが含まれることを特徴とする請求項１乃至８のいずれか１項に記載の撮像制御装置。
【請求項１０】
前記制御手段は、前記第一の撮影モードの場合に、撮像手段により得られた画像に前記効果をかける画像処理をした画像をライブビュー画像として前記第一の表示手段に表示するように制御することを特徴とする請求項９に記載の撮像制御装置。
【請求項１１】
前記第二の表示手段は、当該撮像制御装置とは異なる外部機器に備えられた表示手段であることを特徴とする請求項３または４に記載の撮像制御装置。
【請求項１２】
前記制御手段は、前記第二の撮影モードにおいては、前記第一の表示手段と前記第二の表示手段のいずれに表示するかを切り替える設定項目を選択可能に表示し、前記第一の撮影モードにおいては、前記設定項目を設定可能に表示しないように制御することを特徴とする請求項３、４、７、１１のいずれか１項に記載の撮像制御装置。
【請求項１３】
ユーザによる操作に応じて所定の画像処理が実行される第一の撮影モードと、前記所定の画像処理が実行されないまたは前記所定の画像処理を行うための手順が前記第一の撮影モードの場合よりも多い第二の撮影モードを選択可能な選択手段と、
前記第二の表示手段への物体の接近を検知する検知手段と、
前記第二の撮影モードの場合に、前記検知手段によって前記第二の表示手段への物体の接近が検知されたことに応じて前記第一の表示部における表示を非表示にし、
前記第一の撮影モードの場合に、第二の表示手段への物体の接近が検知されても前記第一の表示部における表示を非表示にしないように制御する制御手段と、を有することを特徴とする撮像制御装置。
【請求項１４】
接眼部を通して視認する電子ビューファインダと、
前記電子ビューファインダへの物体の接近を検知する検知手段と、
前記電子ビューファインダとは異なる画像表示手段と、
撮影者自身を撮影するための第一の撮影モードと、撮影者自身ではない被写体を撮影するための第二の撮影モードをと選択可能な選択手段と、
前記第二の撮影モードが選択されている場合に、前記検知手段によって前記前記電子ビューファインダへ物体の接近が検知されると前記画像表示手段における表示を非表示にし、
前記第一の撮影モードが選択されている場合に、前記電子ビューファインダへの物体が接近しても、前記画像表示手段における表示を非表示にしないように制御する制御手段と、を有することを特徴とする撮像制御装置。
【請求項１５】
前記制御手段は、前記第二の撮影モードが選択されている場合に、前記検知手段によって前記電子ビューファインダへ物体の接近が検知されると、前記電子ビューファインダに表示をするように制御することを特徴とする請求項１４に記載の撮像制御装置。
【請求項１６】
前記制御手段は、前記第一の撮影モードが選択されている場合には前記検知手段が物体の接近を検知しないように、前記検知手段をオフにするように制御することを特徴とする請求項１４または１５に記載の撮像制御装置。
【請求項１７】
少なくとも所定の表示アイテムに対するタッチ操作を受付可能な第一の表示手段に表示された前記所定の表示アイテムに対するタッチ操作に基づいた所定の画像処理が実行される第一の撮影モードと、前記タッチ操作に基づいて前記所定の画像処理が実行されない第二の撮影モードを選択可能な選択ステップと、
前記第一の表示手段を非表示にするための操作を受け付ける前記第一の表示手段とは異なる位置に備えられている操作部への操作を行う操作ステップと、
前記第二の撮影モードの場合に、前記操作ステップにおける前記操作に応じて前記第一の表示手段における表示を非表示にし、
前記第一の撮影モードの場合には、前記操作ステップにおける前記操作がされても前記第一の表示手段における表示を非表示にしないように制御する制御ステップと、を有することを特徴とする撮像制御装置の制御方法。
【請求項１８】
ユーザによる操作に応じて所定の画像処理が実行される第一の撮影モードと、前記所定の画像処理が実行されないまたは前記所定の画像処理を行うための手順が前記第一の撮影モードの場合よりも多い第二の撮影モードを選択可能な選択ステップと、
前記第二の表示手段への物体の接近を検知する検知ステップと、
前記第二の撮影モードの場合に、前記検知ステップにおいて前記第二の表示手段への物体の接近が検知されたことに応じて前記第一の表示部における表示を非表示にし、
前記第一の撮影モードの場合に、第二の表示手段への物体の接近が検知されても前記第一の表示部における表示を非表示にしないように制御する制御ステップと、を有することを特徴とする撮像制御装置の制御方法。
【請求項１９】
接眼部を通して視認する電子ビューファインダと、
前記電子ビューファインダとは異なる画像表示手段とを有する撮像制御装置の制御方法であって、
前記電子ビューファインダへの物体の接近を検知する検知ステップと、
撮影者自身を撮影するための第一の撮影モードと、撮影者自身ではない被写体を撮影するための第二の撮影モードをと選択可能な選択ステップと、
前記第二の撮影モードが選択されている場合に、前記検知ステップにおいて前記前記電子ビューファインダへ物体の接近が検知されると前記画像表示手段における表示を非表示にし、
前記第一の撮影モードが選択されている場合に、前記電子ビューファインダへの物体が接近しても、前記画像表示手段における表示を非表示にしないように制御する制御ステップと、を有することを特徴とする撮像制御装置の制御方法。
【請求項２０】
コンピュータを、請求項１乃至１６のいずれか１項に記載された撮像制御装置の各手段として機能させるためのプログラム。
【請求項２１】
コンピュータを、請求項１乃至１６のいずれか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置およびその制御方法等に関し、特にタッチ操作を受け付け可能な表示部への制御をする技術に関する。
【背景技術】
【０００２】
近年、項目の設定変更等を例えばタッチ操作によって受け付ける機器がある。また、ＥＶＦ（電子ビューファインダ）への表示をするようにした場合に、装置の外側から視認可能な表示部への表示を非表示にする技術がある。特許文献１には、接眼検知されたことに応じて、背面に設けられるモニタを非表示状態にすることが記載されている。
【先行技術文献】
【特許文献】
【０００３】
【特許文献１】特開２００８−１７０８７２号公報
【発明の概要】
【発明が解決しようとする課題】
【０００４】
例えば自分を撮影するモード等でタッチパネル部に表示されたアイテムへのタッチ操作でユーザが指示をする場合に、タッチパネル部の表示が不本意に非表示に切り替わってしまうと、ユーザはタッチ操作をするアイテムが見えず、指示を行えない可能性がある。また、表示部を反転した状態で撮影をする場合に、画像を見ながら撮影や操作等を行う場合に不本意に非表示に切り替わってしまうと、ユーザは撮影を行いにくくなる可能性がある。
【０００５】
本発明は、上記の課題に鑑み、タッチパネルへのタッチ操作によってユーザが指示をするモードの場合に、タッチパネルへの表示がされなくなる可能性を低減させた撮像制御装置の提供を目的とする。また、本発明は、上記の課題に鑑み、表示部を反転して撮影をする自分撮りモード等の場合に、表示部への表示がされなくなる可能性を低減させた撮像制御装置の提供を目的とする。
【課題を解決するための手段】
【０００６】
上記目的を達成するために、本発明の撮像制御装置は、少なくとも所定の表示アイテムに対するタッチ操作を受付可能な第一の表示手段に表示された前記所定の表示アイテムに対するタッチ操作に基づいた所定の画像処理が実行される第一の撮影モードと、前記タッチ操作に基づいて前記所定の画像処理が実行されない第二の撮影モードを選択可能な選択手段と、前記第一の表示手段を非表示にするための操作を受け付ける前記第一の表示手段とは異なる位置に備えられた操作手段と、前記第二の撮影モードの場合に、前記操作手段に対する前記操作に応じて前記第一の表示手段における表示を非表示にし、前記第一の撮影モードの場合には、前記操作手段に対する前記操作がされても前記第一の表示手段における表示を非表示にしないように制御する制御手段と、を有することを特徴とする。
【発明の効果】
【０００７】
本発明によれば、タッチパネルへのタッチ操作によって設定変更をするモードの場合に、タッチパネルへの表示がされなくなる可能性を低減させることができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】第一実施形態における撮影モードの処理を示すフローチャート
【図４】本実施形態における自撮り項目設定の処理を示すフローチャート
【図５】本実施形態における切り替え処理を示すフローチャート
【図６】本実施形態における自撮り撮影の処理を示すフローチャート
【図７】第二実施形態における撮影モードの処理を示すフローチャート
【図８】本実施形態における表示の一例を示す図
【発明を実施するための形態】
【０００９】
＜第一実施形態＞
以下、図面を参照して本発明の好適な実施形態を説明する。
【００１０】
図１に本発明の撮像制御装置の一例としてのデジタルカメラ１００の外観図を示す。図１（ａ）に示す表示部２８（背面表示部）は画像や各種情報を表示する表示部である。表示部２８に重畳するようにタッチ操作を受付可能なタッチパネル７０ａが設けられている。シャッターボタン６１は撮影指示を行うための操作部である。モード切替スイッチ６０は各種モードを切り替えるための操作部である。操作部７０はユーザからの各種操作を受け付ける各種スイッチ、ボタン、タッチパネル等の操作部材より成る操作部である。十字キー７９は操作部７０に含まれる上下左右キーを含む操作部材であり、それぞれのキーに応じた方向への移動指示等をするためのキーである。例えば、下キーが押下されると、現在選択されているアイコンの下にあるアイコンが選択される。ＳＥＴボタン７５は、選択した項目や条件を設定（確定）するためのボタンである。メニューボタン７８は、メニュー画面を開くためのボタンである。メニュー画面では、画像を表示する表示先の設定である表示先切り替え設定をマニュアルにするか、オートにするかの設定等をすることができる。表示先切り替え設定がマニュアルの場合には、後述するユーザの切替操作に応じて、表示部２８かＥＶＦ７６かいずれに表示するかが決まる。また、マニュアルの場合にはさらに、電源を入れた初期状態で表示部２８またはＥＶＦ７６のいずれに表示するかを設定することができる。オートの場合には、後述する接眼センサ７７の検知結果に基づいて、表示先を決定する。電源スイッチ７２は、電源オン、電源オフを切り替えるための押しボタンである。記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１１】
ストロボ５７は被写体を照射するための発光部である。
【００１２】
ＥＶＦ（電子ビューファインダ）７６を含むファインダ部７４は、デジタルカメラ１００に取り外し可能に取り付けられており、ファインダ部７４のＥＶＦ７６を覗きこむようにすると、ユーザは表示部２８に表示する画像と同じ画像を見ることができる。接眼センサ７７は、物体が１センチや２センチ等の所定距離より近い距離（所定距離以内）に接近したことを検知するための物体検知手段である。例えばユーザがＥＶＦ７６を見ようとファインダ部７４（または接眼部）に目を近付けた場合に、接眼センサ７７が物体（目）の接近を検知すると、ＥＶＦ７６に画像等を表示させることができる。また、接眼センサ７７は所定距離以上物体（目）が離れたことを検知すると、ＥＶＦ７６に表示していた画像を非表示にする。切替ボタン７３は、ＥＶＦ７６と表示部２８とのいずれに画像等の表示をするかを手動で切り替える操作を受付るボタンであり、表示先の切替指示をするための操作部である。
【００１３】
また、パネル部８２は、左右回転軸８１及び上下回転軸８３を介してデジタルカメラ１００の本体部に対して回転可能に取り付けられている。パネル部８２には表示部２８及びタッチパネル７０ａが含まれる。図１に示すように、左右回転軸８１は、デジタルカメラ１００の左右方向Ａにパネル部８２を回転させるための軸であり、上下回転軸８３は、デジタルカメラ１００の上下方向Ｂにパネル部８２を回転させるための軸である。図１（ａ）は、表示部２８がデジタルカメラ１００の本体部に表示部２８が見える状態で収納されている状態を示しており、表示部２８の表示方向がデジタルカメラ１００の背面部と同じ方向である。図１（ｂ）は、図１（ａ）の状態から左右回転軸８１を介して、パネル部８２がデジタルカメラ１００の本体部に対して開かれた状態を示しており、表示部２８の表示方向は撮像部２２側と同じ方向である。図１（ｃ）は、図１（ｂ）の状態から、上下回転軸８３を介して、パネル部８２がデジタルカメラ１００の本体部に対して上下方向Ｂに回転された状態を示しており、表示部２８の表示方向が撮像部２２側から背面部側に向けられている。図１（ｄ）は、図１（ｃ）の状態から左右回転軸８１を介して、図１（ａ）から図１（ｂ）に回転された方向とは逆方向に回転され、デジタルカメラ１００の本体部に対して表示部２８が閉じられた状態（本体部に対向して閉じられた状態）を示している。このように、表示部２８がデジタルカメラ１００の内側を向くと、外部から表示部２８の表示を視認することも、タッチパネル７０ａへのタッチ操作をすることもできない。つまり、パネル部８２が閉じられている場合には、本体部の面と表示部２８の表示面が接するように面しているので、ユーザが表示部２８にタッチ操作をすることが難しい。
【００１４】
図２は、本実施形態によるデジタルカメラ１００の構成例を示すブロック図である。
【００１５】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。なお、表示先がＥＶＦ７６に設定されている場合には、表示部２８ではなくＥＶＦ７６に表示をする。
【００１８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８（もしくはＥＶＦ７６）に供給する。こうして、メモリ３２に書き込まれた表示用の画像データはＤ／Ａ変換器１３を介して表示部２８（もしくはＥＶＦ７６）により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー画像表示）を行える。また、ＥＶＦ７６も同様にスルー画像表示をすることができる。
【００１９】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２１】
左右回転検知部８１ａ、上下回転検知部８３ａはそれぞれ左右回転軸８１や上下回転軸８３の回転状態（及び位置）を検知可能である。具体的には、左右回転検知部８１ａと上下回転検知部８３ａは、本体部に取り付けられたスイッチであり、それぞれのスイッチのオン／オフの状態、及び、検知履歴によってパネル部８２の位置を検知可能である。このように、パネル部８２が図１（ｄ）のように閉じられた状態か、それ以外の位置にあるかを判定することができる。
【００２２】
システムタイマー５３は各種制御に用いる時間や、内蔵された時計の時間を計測する計時部である。
【００２３】
モード切替スイッチ６０、シャッターボタン６１、操作部７０はシステム制御部５０に各種の動作指示を入力するための操作手段である。
【００２４】
モード切替スイッチ６０は、システム制御部５０の動作モードを静止画記録モード、動画撮影モード、自撮りモード等のいずれかの撮影モードに切り替える。静止画記録モードに含まれるモードとして、オート撮影モード、オートシーン判別モード、マニュアルモード、撮影シーン別の撮影設定となるポートレートモード等を含む各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
操作部７０の各操作部材は、表示部２８に表示される種々の機能アイコンを選択操作することなどにより、場面ごとに適宜機能が割り当てられ、各種機能ボタンとして作用する。例えば、メニューボタン７８が押されると各種の設定可能なメニュー画面が表示部２８に表示される。利用者は、表示部２８に表示されたメニュー画面と、十字キー７９の上下左右の４方向ボタンやＳＥＴボタン７５とを用いて直感的に各種設定を行うことができる。また、操作部７０には、タッチパネル７０ａが含まれており、表示部２８に表示がされている場合には基本的にタッチパネル７０ａへの操作が有効であり、タッチパネル７０ａへのタッチ操作に応じた処理をシステム制御部５０が行うように制御する。表示部２８に表示されているアイコンへのタッチ操作をタッチパネル７０ａが受け付けると、アイコンの選択操作が行われたとする。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。電源スイッチ７２がユーザからの電源オン、電源オフを切り替える操作を受け付けるとシステム制御部５０を介して電源のオン、オフが切り換えられる。記録媒体Ｉ／Ｆ１８は、メモリカードやハードディスク等の記録媒体２００とのインターフェースである。記録媒体２００は、撮影された画像を記録するためのメモリカード等の不揮発性の記録媒体であり、半導体メモリや光ディスク、磁気ディスク等から構成される。
【００２８】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。特に自撮り（自分撮り、セルフィ）モードでは、ユーザの顔を主被写体として撮影するので、顔検出を行い、検出された顔にＡＦをする。
【００２９】
顔検出機能について説明する。システム制御部５０は顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。
【００３０】
その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をシステムメモリ５２に記憶する。
【００３１】
以上のようにライブビュー画像あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
【００３２】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００３３】
本実施形態で説明する自撮りモードは、主に撮影者自身が被写体となって撮影を行う、自分撮りを行うための撮影モードである。自撮りモードでは、後述するように美肌設定や、明るさ設定、背景ぼかし設定等の効果を設定することができる。これらの効果は、他のモードにおいては設定することができない（設定変更を実行不可能）。一般的に自撮りは、表示部２８を被写体側（撮像部２２側）に向けて撮影を行う。また、自撮りモードに設定されると表示部２８へのタッチ操作に応じて処理を行うか否かを設定するタッチ機能の有効状態、無効状態の設定が有効状態になる。
【００３４】
図３を用いて、第一実施形態における撮影処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影を行うための撮影モードに切り替えられると開始する。
【００３５】
Ｓ３０１では、システム制御部５０は、現在設定されている撮影モードが自撮りモードか否かを判定する。自撮りモードは、モード切替スイッチ６０への操作またはメニュー画面において設定することができる。自撮りモードであると判定された場合は、Ｓ３０２へ進み、そうでない場合は、Ｓ３１３へ進む。
【００３６】
Ｓ３０２では、システム制御部５０は、パネル部８２が閉じられた状態か、すなわち図１（ｄ）に示す状態か否かを判定する。パネル部８２が閉じられた状態であると判定された場合は、Ｓ３０６へ進み、そうでない場合は、Ｓ３０３へ進む。
【００３７】
Ｓ３０３では、システム制御部５０は、図８（ａ）に示すように、表示部２８にライブビュー画像８０１を表示し、自撮りモードの設定がタッチ操作によって行うことができる（実行可能）ことを説明するためのガイド８０２を表示する。このようにガイド８０２を表示することで、ユーザは自撮りモードではタッチ操作での設定変更を受け付けることが分かる。
【００３８】
Ｓ３０４では、システム制御部５０は、表示先の切替条件を切替条件２に設定し、システムメモリ５２に記憶させる。切替条件については、図５を用いて説明する。パネル部８２が開いている（図１（ｄ）のように閉じた状態ではない）場合には切替条件２に設定される。ただし、切替条件２に設定する代わりに接眼センサ７７を無効にしてもよい。
【００３９】
Ｓ３０５では、システム制御部５０は、自撮り項目設定をする。自撮り項目設定については、図４を用いて説明する。
【００４０】
Ｓ３０６では、システム制御部５０は、表示部２８への表示がされていた場合には非表示にし、さらに、ＥＶＦ７６への表示をする。このように、自撮りモードであってもパネル部８２が閉じられたことに応じて、表示部２８からＥＶＦ７６へ表示が切り替わる。また、ＥＶＦ７６への表示は６秒以上接眼検知をしなかったことに応じて非表示になる。ただし、再び接眼検知すると後述する切替条件に応じてＥＶＦ７６への表示をする。
【００４１】
Ｓ３０７では、システム制御部５０は、表示先の切替条件を切替条件１に設定し、システムメモリ５２に記憶させる。
【００４２】
Ｓ３０８では、システム制御部５０は、切替ボタン７３の押下による表示先切替操作があったか否かを判定する。表示先切替操作があったと判定した場合には、Ｓ３０９へ進み、そうでない場合は、Ｓ３１０へ進む。
【００４３】
Ｓ３０９では、システム制御部５０は、Ｓ３０８で受け付けた表示先切替操作を無効にし、表示先を切り替えない。また、メニュー画面における表示先切り替え設定も自撮りモードでは、グレーアウトもしくは非表示にすることで設定変更するための項目を表示させない（表示不可能にする）。つまり、自撮りモードにおいては表示先の切替操作を受け付けない。
【００４４】
Ｓ３１０では、システム制御部５０は、パネル部８２の位置が変更されたか否かを判定する。パネル部８２の位置の変更がされたか否かの判定は、左右回転軸８１、上下回転軸８３への回転操作が行われたことによって行われる。パネル部８２の位置が変更されたと判定した場合には、Ｓ３０２へ進み、そうでない場合は、Ｓ３１１へ進む。
【００４５】
Ｓ３１１では、システム制御部５０は、切替処理を行う。切替処理については、図５を用いて説明する。ただし、Ｓ３０４において切替条件２に設定されずに接眼センサ７７が無効に設定された場合には、図５の処理は行わない。すなわち、接眼検知の結果に関わらずにＥＶＦ７６への表示をしない。
【００４６】
Ｓ３１２では、システム制御部５０は、自撮り撮影の処理を行う。自撮り撮影の処理については、図６を用いて説明する。
【００４７】
Ｓ３１３〜Ｓ３２６の処理は、自撮りモードではない撮影モードの場合の撮影処理を示している。
【００４８】
Ｓ３１３では、システム制御部５０は、表示先切り替え設定がマニュアルか否かを判定する。表示先切り替え設定がマニュアルであると判定した場合は、Ｓ３１４へ進み、そうでない場合は、Ｓ３１９へ進む。
【００４９】
Ｓ３１４では、システム制御部５０は、表示先設定が表示部２８になっているか否かを判定する。表示先設定が表示部２８になっていると判定した場合は、Ｓ３１５へ進み、そうでない場合は、Ｓ３１８へ進む。
【００５０】
Ｓ３１５では、システム制御部５０は、図１（ｅ）に示すように表示部２８にライブビュー画像８０１を表示する。
【００５１】
Ｓ３１６では、システム制御部５０は、接眼センサ７７を無効に設定する。接眼センサ７７が無効に設定されると、接眼センサ７７が接眼検知を行わない、もしくは、接眼検知を行って物体の接近が検知されても表示部２８からＥＶＦ７６に表示を切り替えない、またはＥＶＦ７６に表示をしないようにする。
【００５２】
Ｓ３１７では、システム制御部５０は、Ｓ３０８と同様に、切替ボタン７３の押下による表示先切替操作があったか否かを判定する。表示先切替操作があったと判定した場合には、Ｓ３１４へ進み、そうでない場合は、Ｓ３２３へ進む。自撮りモードではない撮影モードの場合には、Ｓ３１７において表示先切替操作がされると、表示先設定が表示部２８であった場合にはＥＶＦ７６へ、ＥＶＦ７６であった場合には表示部２８に変更される。
【００５３】
Ｓ３１８では、システム制御部５０は、図８（ｅ）に示すようにＥＶＦ７６にライブビュー画像８０１を表示する。ただし、ガイド８０２は表示しない。
【００５４】
Ｓ３１９では、システム制御部５０は、接眼センサ７７を有効に設定する。接眼センサ７７が有効に設定されると、接眼センサ７７が物体の接近（例えばユーザの目）を検知したことに応じて、表示部２８からＥＶＦ７６に表示を切り替える、または表示部２８に画像が表示されていない状態からＥＶＦ７６への表示をする。
【００５５】
Ｓ３２０では、システム制御部５０は、接眼センサ７７が接眼検知（物体が２センチ以上接近したことの検知をここでは接眼検知とする）をしたか否かを判定する。接眼検知したと判定した場合は、Ｓ３２１へ進み、そうでない場合は、Ｓ３２２へ進む。
【００５６】
Ｓ３２１では、システム制御部５０は、Ｓ３１８と同様にＥＶＦ７６にライブビュー画像８０１を表示する。ただし、ガイド８０２は表示しない。
【００５７】
Ｓ３２２では、システム制御部５０は、表示部２８にライブビュー画像８０１を表示する。なお、パネル部８２が図１（ｄ）のように閉じられている状態の場合には、接眼検知をしていなくても表示部２８への表示は行わない。
【００５８】
Ｓ３２３では、システム制御部５０は、シャッターボタン６１が半押しされたか（すなわち第一シャッタースイッチ６２が発生したか）否かを判定する。半押しされたと判定した場合は、Ｓ３２４へ進み、そうでない場合は、Ｓ３１３へ進む。
【００５９】
Ｓ３２４では、システム制御部５０は、ＡＦ処理を行って焦点を被写体に合わせる処理を行う。
【００６０】
Ｓ３２５では、システム制御部５０は、シャッターボタン６１が全押しされたか（すなわち第二シャッタースイッチ６４が発生したか）否かを判定する。全押しされたと判定した場合は、Ｓ３２６へ進み、そうでない場合は、Ｓ３２３に戻る。
【００６１】
Ｓ３２６では、システム制御部５０は、撮影処理を行い、記録媒体２００に撮像部２２により得られた画像を記録する。
【００６２】
このように、自撮りモードではない撮影モードにおいては、表示先切り替え設定がマニュアルであればユーザの表示先設定に応じて、表示部２８かＥＶＦ７６かのいずれかに表示をする。表示先切り替え設定がオートであれば、接眼センサ７７の接眼検知結果に応じて、表示先を切り替える。ただし、表示部２８への表示がされている状態でパネル部８２が閉じられるとＥＶＦ７６に表示が切り替わる。
【００６３】
一方で、Ｓ３０２〜Ｓ３１２で説明した自撮りモードでは、パネル部８２が開いていれば（閉じられていなければ）ＥＶＦ７６へは表示をせず、表示部２８に表示をする。また、パネル部８２が閉じられると、ＥＶＦ７６に表示を切り替え、さらに接眼を検知したことに応じてＥＶＦ７６に表示をする切替条件（切替条件１）に設定する。一方で、パネル部８２が開いている場合には、よりＥＶＦ７６への表示を行わないようにするための切替条件（切替条件２）に設定する。また、自撮りモードであればパネル部８２の状態に関わらず、切替ボタン７３が押下されても表示先を切り替えず、またメニュー画面においても表示先の設定やオート、マニュアルの設定変更をすることができない。また、ユーザが自撮りモードに切り替える前に表示先切り替え設定をマニュアルにし、表示先をＥＶＦに設定しても、オートに設定しても、自撮りモードに切り替えられるとパネル部８２が開いていればＥＶＦ７６の表示を非表示にし、表示部２８に表示をする。また、ＥＶＦ７６に表示を切り替えないようにする。すなわち、自撮りモードの場合にはパネル部８２が閉じない限り、ユーザの表示先設定や切替操作に関わらず（ユーザの表示先の指示に寄らず）、表示部２８に表示をするようにする。
【００６４】
具体的には、自撮りモードではユーザが表示先を指定しても、パネル部８２が閉じられ物理的にタッチパネル７０ａへのタッチ操作ができない状態にならない限りは、表示部２８の表示が非表示になりにくく、ＥＶＦ７６に表示切り替えがされにくいようにする。言い換えれば、自撮りモードにおいてはタッチ操作を受け付けることのできる状態から、タッチ操作を受け付けることのできない状態に切り替わりにくくなる。これは、後述するように自撮りモードがタッチ操作によって、項目の設定変更操作を行う撮影モードであり、タッチ操作を受け付けることのできないＥＶＦ７６への表示をしてしまうと、自撮りモードの項目の設定変更操作ができなくなってしまうためである。
【００６５】
次に、図４を用いて図３のＳ３０５の詳細の処理である自撮り項目設定について説明する。この処理は、不揮発性メモリ５６に記録されたプログラムをシステムメモリ５２に展開してシステム制御部５０が実行することで実現する。
【００６６】
Ｓ４０１では、システム制御部５０は、図８（ａ）に示す効果設定ボタン８０３〜８０５（表示アイテム）のいずれかへのタッチダウンがあったか否かを判定する。効果設定ボタン８０３〜８０５のいずれかへのタッチダウンがあったと判定した場合は、Ｓ４０２へ進み、そうでない場合は、Ｓ４０９へ進む。効果設定ボタン８０３は背景ぼかし設定、効果設定ボタン８０４は明るさ設定、効果設定ボタン８０５は美肌設定を示している。
【００６７】
Ｓ４０２では、システム制御部５０は、効果設定ボタン８０３が選択され、さらに効果設定ボタン８０３が選択されたことに応じて表示される図８（ｂ）に示すような効果設定領域８０６において背景ぼかし設定のバー８０６ａが操作されたか否かを判定する。背景ぼかし設定のバー８０６ａが操作されたと判定した場合には、Ｓ４０３へ進み、そうでない場合は、Ｓ４０４へ進む。背景ぼかし設定は、主顔が強調されるよう、撮影範囲の中の主顔以外の領域をぼかすような加工をする設定である。
【００６８】
Ｓ４０３では、システム制御部５０は、背景ぼかし設定をオート、マニュアル（ＯＦＦを含む）のいずれかに切替える。また、背景ぼかしに関するガイド８１０が表示される。ここで、背景ぼかし設定がオートにされた場合には、撮像部２２で取得した画像に対して簡易的に背景ぼかし処理を行ってライブビュー画像として表示部２８に表示する。また、背景ぼかし設定に関するガイド８１０を表示する。簡易的な背景ぼかし処理とは、主顔以外の領域がぼけるような画像処理を行う処理である。背景ぼかし設定がマニュアルにされた場合には、さらに５段階に背景ぼかしの強さ（度合い）を設定可能である。背景ぼかし設定が図８（ｂ）の背景ぼかし設定のバー８０８ａは、オートに設定されていることを示している。背景ぼかし設定はＯＦＦから強まで５段階で設定可能であり、バー８０８ａのうち、メモリが下に行くほど背景がぼける（強）設定になる。また、表示部２８には、撮像部２２で取得した画像に対して以下の処理で行う、明るさ設定、美肌設定、ストロボ設定に基づいた処理を行った上でライブビュー画像として表示をする。
【００６９】
Ｓ４０４では、システム制御部５０は、効果設定ボタン８０４が選択され、さらに効果設定ボタン８０４が選択されたことに応じて表示される図８（ｂ）に示すような効果設定領域８０７において明るさ設定のバー８０７ａが操作されたか否かを判定する。明るさ設定のバー８０７ａが操作されたと判定した場合には、Ｓ４０５へ進み、そうでない場合は、Ｓ４０６へ進む。明るさ設定は、撮像範囲の全体に対して、露出補正と調光補正を行い、明るさを変更する設定である。
【００７０】
Ｓ４０５では、システム制御部５０は、明るさをＳ４０４において操作された明るさ設定のバー８０７ａのメモリの位置に基づいて設定する。明るさは５段階あり、設定に応じて撮影時に露出補正と調光補正を行う。このとき、設定された明るさに基づいて露出値及び調光値をシステムメモリ５２に記録し、撮像部２２及び画像処理部２４に対して補正値を適用するように制御することで表示部２８に明るさ設定が反映された画像を表示させる。また、明るさ設定に関するガイド８１１を表示する。図８（ｃ）の明るさ設定のバー８０７ａは、明るさ設定が５段階中の真ん中である３段階目に設定されていることを示している。バー８０７ａのメモリが上にいくほど明るくなる。
【００７１】
Ｓ４０６では、システム制御部５０は、効果設定ボタン８０５が選択され、さらに効果設定ボタン８０５が選択されたことに応じて表示される図８（ｃ）に示すような効果設定領域８０８において美肌設定のバー８０８ａが操作されたか否かを判定する。美肌設定のバー８０８ａが操作されたと判定した場合には、Ｓ４０７へ進み、そうでない場合は、Ｓ４０８へ進む。美肌設定は、撮像範囲にある顔のうち、主に自撮りモードでの効果を付与する主顔（主被写体）に対して、美肌効果処理をし、肌がきれいにみえるような画像処理をするための設定である。美肌効果処理では、顔を検出すると目、鼻、口が含まれる範囲を検出し、検出した範囲の中のＹＵＶの値を取得する。算出したＹを低活化することで肌領域が平滑化され、しわ等を目立たなくする（しわ等の凸凹をぼかす）ことができる。また、ＵＶの値を平均化し、平均化した色で肌部分を塗るようにすることで肌の色ムラが小さくなる。
【００７２】
Ｓ４０７では、システム制御部５０は、美肌効果の強さをＳ４０６において操作された美肌設定のバー８０８ａのメモリの位置に基づいて設定する。美肌効果の強さは強〜弱の５段階あり、ユーザは美肌設定のバー８０８ａを操作することで美肌効果の強さを設定することができる。ここで、撮像部２２で取得した画像に設定された美肌効果に基づいて、簡易美肌処理をしてライブビュー画像として表示部２８に表示する。また、美肌設定に関するガイド８１２を表示する。図８（ｄ）では、美肌設定のバー８０８ａは、美肌設定が５段階中の真ん中である３段階目に設定されていることを示している。バー８０８ａのメモリが上にいくほど美肌効果が強くなる。
【００７３】
Ｓ４０８では、システム制御部５０は、図８（ｂ）〜（ｄ）に示す戻るボタン８０９へのタッチダウンがあったか否かを判定する。タッチダウンがあったと判定した場合は、Ｓ４０１へ進み、そうでない場合は、Ｓ４０２に戻る。Ｓ４０８の判定時に、背景ぼかし設定が選択されていた場合にはＳ４０３へ、明るさ設定が選択されていた場合にはＳ４０５へ、美肌設定が選択されていた場合にはＳ４０７へ戻り、それぞれの設定変更操作を受け付ける。それぞれの設定領域が表示部２８に表示されている場合に戻るボタン８０９が選択されると、Ｓ４０１のように他の設定項目（背景ぼかし、明るさ、美肌）を選択可能な画面に戻る。
【００７４】
Ｓ４０９では、システム制御部５０は、図８（ａ）のセルフタイマーボタン８１３へのタッチダウンがあったか否かを判定する。タッチダウンがあったと判定した場合は、Ｓ４１０へ進み、そうでない場合は、Ｓ４１１へ進む。
【００７５】
Ｓ４１０では、システム制御部５０は、不図示のセルフタイマー画面において、セルフタイマーを設定する。セルフタイマーは、ＯＦＦ（０秒）、２秒、１０秒のいずれかから選択される。セルフタイマーがＯＮ（２秒または１０秒）に設定された場合には、撮影指示が行われた後に設定された時間が経過後に撮影を行う。
【００７６】
Ｓ４１１では、システム制御部５０は、図８（ａ）に示すストロボボタン８１４へのタッチダウンがあったか否かを判定する。タッチダウンがあったと判定した場合は、Ｓ４１２へ進み、そうでない場合は、Ｓ４１５へ進む。
【００７７】
Ｓ４１２では、システム制御部５０は、ストロボ設定がＳ４１１時点でＯＮであった場合にはＯＦＦに、ＯＦＦであった場合にはＯＮに切り替える。ストロボボタン８１４は、ストロボ設定がＯＦＦの状態を示しており、ストロボ設定がＯＮに設定された場合にはストロボ設定がＯＮであることを示す表示に切り替わる。また、ストロボ設定がＯＮの時に、ストロボボタンへのタッチダウンが検出された場合には、ストロボ設定がＯＦＦであることを示す表示に切り替わる。ストロボ設定が変更された場合は、ストロボのＯＮ、ＯＦＦに応じて、Ｓ４０５で設定された露出値及び調光値を設定し直し、メモリ３２に記録する。システムメモリ５２に記録されている露出値及び調光値は撮影に反映される。
【００７８】
Ｓ４１３では、システム制御部５０は、Ｓ４１２においてストロボ設定がＯＮになったか否かを判定する。ＯＮになったと判定した場合は、Ｓ４１４へ進み、そうでない場合は、Ｓ４１５へ進む。ストロボ５７が収納式のストロボである場合には、ストロボがＯＮに設定されたことに応じて、被写体に光を照射できるように、ストロボ５７を収納されていた位置からデジタルカメラ１００本体の外側に出してもよい。
【００７９】
Ｓ４１４では、システム制御部５０は、背景ぼかし設定をＯＦＦにし、効果設定ボタン８０３をグレーアウトする。ストロボ設定がＯＮになった場合には、もともとの背景ぼかし設定に関わらず背景ぼかしはＯＦＦになり、背景ぼかしの効果を撮像した画像にかけることができない。しかし、ストロボ設定をＯＦＦにすると背景ぼかし設定は有効になる。ここで、ストロボ設定がＯＮにされた場合には、撮像部２２で取得した画像に対して簡易的な背景ぼかし処理を行わずに、ライブビュー画像として表示部２８に表示する。
【００８０】
Ｓ４１５では、システム制御部５０は、図８（ａ）に示すタッチシャッターボタン８１５へのタッチダウンがあったか否かを判定する。タッチダウンがあったと判定した場合は、Ｓ４１６へ進み、そうでない場合は、自撮り項目設定を終了する。図８（ａ）のタッチシャッターボタン８１５は、タッチ操作で撮影指示を行える（タッチシャッターが有効である）ことを示している。
【００８１】
Ｓ４１６では、システム制御部５０は、タッチシャッター設定がＳ４１５時点で有効であった場合には無効に、無効であった場合には有効に、切り替える。タッチシャッター設定が有効になると、タッチパネル７０ａへのタッチダウンによって撮影が可能になり、無効になるとタッチパネル７０ａへのタッチダウンによっては撮影ができなくなりシャッターボタン６１を押下する操作のみで撮影が可能になる。
【００８２】
このように自撮り項目設定では、様々な自撮りに関する設定項目の設定変更を、ライブビュー画像８０１を見ながら行うことができ、また簡易的に設定内容をライブビュー画像８０１に反映する。よって、ユーザは撮影される画像をよりイメージしやすく、より所望の画像をえることができる。自撮りモードでは、他のモードに比べて画像の質（ユーザの顔部分の画質）に関する設定項目が多いため、タッチ操作で画面を見ながらユーザに感覚的に設定を行わせたい。そのため、タッチ操作での項目設定変更を受け付けるようにしている。なお、効果設定ボタン８０３〜８０５はタッチ操作によってのみ選択可能であるが、各設定項目の設定変更は十字キー７９やＳＥＴボタン７５等の物理キーへの操作によっても行うことができる。
【００８３】
次に、図５を用いて図３のＳ３１１の詳細の処理である切替処理について説明する。この処理は、不揮発性メモリ５６に記録されたプログラムをシステムメモリ５２に展開してシステム制御部５０が実行することで実現する。図５（ａ）の示すＳ５０１〜Ｓ５０４は、第一実施形態のうち第一パターン、図５（ｂ）の示すＳ５１０〜Ｓ５１７は第一実施形態のうち第二パターンの切替処理を示している。
【００８４】
Ｓ５０１では、システム制御部５０は、接眼センサ７７が接眼検知をしたか否かを判定する。接眼検知をしたと判定した場合は、Ｓ５０２へ進み、そうでない場合は、切替処理を終了する。
【００８５】
Ｓ５０２では、システム制御部５０は、図３のＳ３０４またはＳ３０７で設定された切替条件が切替条件２であるか否かを判定する。切替条件２であると判定した場合は、Ｓ５０３へ進み、そうでない場合（切替条件１である場合）は、Ｓ５０４へ進む。
【００８６】
Ｓ５０３では、システム制御部５０は、表示部２８にライブビュー画像８０１を表示したままにし、切替処理を終了する。
【００８７】
Ｓ５０４では、システム制御部５０は、ＥＶＦ７６の表示がオフとなっていた場合はオンに切り替え、図８（ｅ）のようにライブビュー画像８０１をＥＶＦ７６に表示し、ガイド８０２を表示し、切替処理を終了する。パネル部８２が閉じてＳ３０６でＥＶＦ７６への表示が開始されてから接眼を検知しないまま６秒が経過した場合に、ＥＶＦ７６が非表示になるので、ＥＶＦ７６と表示部２８は共に非表示となっている。その状況から接眼を検知した場合に、このＳ５０４でＥＶＦ７６が表示状態に切り替わる。
【００８８】
このように、パターン１では切替条件２の場合（パネル部８２が図１（ａ）〜（ｃ）のいずれかの位置）には接眼検知してもＥＶＦ７６に表示をせず、切替条件１の場合（パネル部８２が図１（ｄ）のように閉じている）には接眼検知するとＥＶＦ７６に表示をする。つまり、切替条件２の場合には表示部２８の表示が非表示になりにくくなる。
【００８９】
次に、パターン２について説明する。パターン２は、所定時間ユーザがＥＶＦ７６を覗きこんだ場合に、自撮り項目設定の変更操作ができなくなるが、ユーザのＥＶＦ７６を使った撮影をする意思が高いものとしてＥＶＦ７６に表示をするパターンである。
【００９０】
Ｓ５１０〜Ｓ５１１の処理は、Ｓ５０１〜Ｓ５０２の処理と同様の処理である。
【００９１】
Ｓ５１２では、システム制御部５０は、接眼検知をした状態が何秒継続したかを計測するための時間を計測開始する。時間の計測はシステムタイマー５３を用いて行う。
【００９２】
Ｓ５１３では、システム制御部５０は、表示部２８にライブビュー画像８０１を表示したままにする。つまり、接眼が検知されてもすぐにＥＶＦ７６へ表示を切り替えない。
【００９３】
Ｓ５１４では、システム制御部５０は、Ｓ５１２の時間計測開始から所定時間が経過したか否かを判定する。所定時間は５秒や１０秒といった時間である。所定時間経過したと判定した場合は、Ｓ５１５へ進み、そうでない場合は、Ｓ５１６へ進む。
【００９４】
Ｓ５１５では、システム制御部５０は、ＥＶＦ７６に表示を切り替え、図８（ｅ）のようにライブビュー画像８０１をＥＶＦ７６に表示し、ガイド８０２を表示し、切替処理を終了する。このとき、表示部２８に表示されていたライブビュー画像８０１は非表示になる。つまり、自撮り項目設定の変更操作を受け付けることができなくなる。
【００９５】
Ｓ５１６では、システム制御部５０は、接眼検知がされているか否かを判定する。接眼検知がされていると判定した場合は、Ｓ５１３へ進み、そうでない場合は、切替処理を終了する。つまり、Ｓ５１２で時間を計測し始めてから、接近状態が継続しているか否かを判定する。所定時間が経過する前（所定時間未満）にユーザが目を離した（接近状態ではなくなった）場合には、切替処理を終了し、そうでない場合には接眼検知した状態で所定時間経過するのを待つ。
【００９６】
Ｓ５１７では、システム制御部５０は、Ｓ５０４と同様にＥＶＦ７６の表示がオフとなっていた場合にオンに切り替え、図８（ｅ）のようにライブビュー画像８０１をＥＶＦ７６に表示し、ガイド８０２を表示し、切替処理を終了する。
【００９７】
このように、パターン２では、切替条件２の場合には、所定時間以上ユーザがＥＶＦ７６を覗くとＥＶＦ７６への表示をするが、そうでない限りは表示部２８への表示をする。つまり、切替条件２の場合には表示部２８の表示が非表示になりにくくなる。なお、パターン２のように切替処理をする際に、切替条件２に設定されている場合には、上述した図３のＳ３０６もしくは後述する図７のＳ７０６においてすぐにＥＶＦ７６に表示をせずに、ＥＶＦ７６を所定時間以上覗いたことに応じて表示をしてもよい。
【００９８】
パターン１、パターン２で説明したように、切替処理においては、設定された切替条件（つまり、パネル部８２の位置や、ユーザの表示先設定等）に基づいて、接眼検知した場合にＥＶＦ７６への表示をするか否かを判定する。自撮りモードにおいては、表示部２８に表示をすることで、ユーザは自撮り項目設定を行うことができるので、自撮りモード特有の効果をかけた画像を得やすくなる。
【００９９】
次に、図６を用いて図３のＳ３１２の詳細の処理である自撮り撮影について説明する。この処理は、不揮発性メモリ５６に記録されたプログラムをシステムメモリ５２に展開してシステム制御部５０が実行することで実現する。
【０１００】
Ｓ６０１では、システム制御部５０は、シャッターボタン６１が半押しされたか（すなわち第一シャッタースイッチ６２が発生したか）否かを判定する。半押しされたと判定した場合は、Ｓ６０２へ進み、そうでない場合は、Ｓ６０４へ進む。
【０１０１】
Ｓ６０２では、システム制御部５０は、検出している主顔がある位置にＡＦする位置を確定する。なお、主顔が検出されない場合には、撮像領域の中心にある被写体にＡＦしてもよいし、他の被写体にＡＦしてもよい。
【０１０２】
Ｓ６０３では、システム制御部５０は、シャッターボタン６１が全押しされたか（すなわち第二シャッタースイッチ６４が発生したか）否かを判定する。全押しされたと判定した場合は、Ｓ６０７へ進み、そうでない場合は、Ｓ６０１に戻る。
【０１０３】
Ｓ６０４では、システム制御部５０は、図８（ａ）のライブビュー画像８０１へのタッチがあった否かを判定する。タッチがあったと判定した場合は、Ｓ６０５へ進み、そうでない場合は、自撮り撮影の処理を終了する。タッチシャッターが有効の場合には、ライブビュー画像８０１へのタッチによって撮影指示をすることができる。
【０１０４】
Ｓ６０５では、システム制御部５０は、設定されているタッチシャッター設定が有効であるか否かを判定する。タッチシャッター設定が有効であると判定した場合は、Ｓ６０６へ進み、そうでない場合は、自撮り撮影の処理を終了する。
【０１０５】
Ｓ６０６では、システム制御部５０は、Ｓ６０２と同様に検出している主顔がある位置にＡＦする位置を確定する。もしくは、Ｓ６０４で判定されたタッチの位置に応じた位置にＡＦをする。
【０１０６】
Ｓ６０７では、システム制御部５０は、セルフタイマーがＯＮであり、２秒もしくは１０秒の設定時間に設定されているか（撮像指示があってからユーザの設定した所定時間経過後に撮影をするか）否かを判定する。２秒もしくは１０秒の設定時間に設定されていると判定された場合は、Ｓ６０８へ進み、そうでない場合は、Ｓ６０９へ進む。
【０１０７】
Ｓ６０８では、システム制御部５０は、カウントダウンを開始し、１０秒に設定されている場合のみ撮影までの秒数を表示部２８に大きく表示する不図示のカウントダウン表示を行う。撮影の２秒前になったらカウントダウン表示はしない。セルフタイマーのカウントは、システムタイマー５３により行う。
【０１０８】
Ｓ６０９では、システム制御部５０は、設定されているストロボ設定がＯＮであるか否かを判定する。ストロボ設定がＯＮであると判定した場合は、Ｓ６２１へ進み、そうでない場合は、Ｓ６１０へ進む。
【０１０９】
Ｓ６１０では、システム制御部５０は、明るさ設定で設定された明るさが撮影に反映されるようにシステムメモリ５２に記録されている露出値を反映して、Ｓ６０２またはＳ６０６において確定された主顔にＡＦして撮影をする。シャッター１０１の絞りと露光する長さ（シャッタースピード）を調整することにより、設定された明るさで撮影を行うようにする。
【０１１０】
Ｓ６１１では、システム制御部５０は、Ｓ６１０において撮影された画像をメモリ３２に記録する。
【０１１１】
Ｓ６１２では、システム制御部５０は、背景ぼかし設定がＯＦＦか否かを判定する。ＯＦＦに設定されていると判定した場合は、Ｓ６２３へ進み、そうでない場合（背景ぼかし効果をかける場合、オートもしくはマニュアルのうちＯＦＦではない設定である場合）は、Ｓ６１３へ進む。
【０１１２】
Ｓ６１３では、システム制御部５０は、背景部分（検出されている主顔ではない部分）にＡＦをし直して撮影を行う。ここで、撮影された画像は、Ｓ６１０で撮影された画像から背景を切り出す画像処理を行うために使用され、使用後は不揮発性メモリ５６に記録されずに削除される。
【０１１３】
Ｓ６１４では、システム制御部５０は、Ｓ６１３において背景にＡＦして撮影された画像をメモリ３２に記録する。
【０１１４】
Ｓ６１５では、システム制御部５０は、Ｓ６１１で撮影された主顔にＡＦした画像（１枚目の画像）と、Ｓ６１３で撮影された背景にＡＦした画像（２枚目の画像）を比較して、背景ぼかしが可能であるか否かを判定する。背景ぼかしは、デジタルカメラ１００からみた背景と主顔の距離が両者を区別できるほど十分であって、さらに背景と主顔の色に所定以上の差があると判定された場合に、効果をかけることが可能であると判定される。背景ぼかしの効果をかけることができると判定された場合は、Ｓ６１６へ進み、そうでない場合は、Ｓ６２３へ進む。
【０１１５】
Ｓ６１６では、システム制御部５０は、１枚目の画像と２枚目の画像を比較して、２枚目の画像から背景部分を検出し、背景部分として検出された部分と同じ領域を１枚目の画像から背景として切り出す。本実施形態においては、ユーザの設定に応じて背景部分と主顔部分に切り分けて、それぞれにユーザにより設定された効果をかけて、効果のかかった画像を合成する。
【０１１６】
Ｓ６１７では、システム制御部５０は、Ｓ６１６で切り分けられた主顔部分から顔を検出することができるかを判定する。顔検出できると判定した場合は、Ｓ６１８へ進み、そうでない場合は、Ｓ６２５へ進む。
【０１１７】
Ｓ６１８では、システム制御部５０は、Ｓ６１７で検出された顔に対して設定された美肌効果をかける美肌処理を行う。
【０１１８】
Ｓ６１９では、システム制御部５０は、背景部分に対して背景ぼかし処理を行う。１枚目の画像では、主顔にＡＦされており、背景部分にはＡＦされていないが背景部分をさらにぼかす処理を行うことで主顔として検出された人物の顔を引き立たせた画像になる。
【０１１９】
Ｓ６２０では、システム制御部５０は、Ｓ６１８で得られた人物部分とＳ６１９で得られた背景部分を合成する。
【０１２０】
Ｓ６２１では、システム制御部５０は、明るさ設定で設定された明るさが撮影に反映されるようにシステムメモリ５２に記録されている露出値及び調光値を反映して、Ｓ６０２またはＳ６０６において確定された主顔にＡＦして撮影をする。撮像レンズ１０３の絞りとシャッターの長さを調整し、さらにストロボ５７を発光させて、設定された明るさで撮影を行うようにする。ストロボ５７の発光の大きさは、調光値に応じて決定される。
【０１２１】
Ｓ６２２では、システム制御部５０は、Ｓ６２１において撮影された画像をメモリ３２に記録する。
【０１２２】
Ｓ６２３では、システム制御部５０は、Ｓ６１０またはＳ６２１において撮影された画像から顔を検出することができるかを判定する。顔検出できると判定した場合は、Ｓ６２４へ進み、そうでない場合は、Ｓ６２５へ進む。
【０１２３】
Ｓ６２４では、システム制御部５０は、Ｓ６２３で検出された顔に対して設定された美肌効果をかける美肌処理を行う。
【０１２４】
Ｓ６２５では、システム制御部５０は、Ｓ６２０において合成された画像、またはＳ６２４において美肌処理された画像を不揮発性メモリ５６に記録する。ここで、記録される画像は撮影の開始前に表示部２８に表示しているライブビュー画像８０１とは異なり、ユーザの明るさ設定に応じて撮影され、さらに美肌処理、背景処理の画像処理が行われた画像である。しかし、ライブビュー画像８０１にユーザの設定した効果に基づき、撮像部２２で得た画像に疑似的に設定された効果を反映した画像を表示することで、ユーザは撮影前にどのような画像を得ることができるのかを把握することができる。
【０１２５】
以上、説明した実施形態によれば、タッチ操作で項目の設定変更を行う自撮りモードに設定した場合に、表示部２８の表示が非表示になりにくくする。表示部２８からＥＶＦ７６へ表示を切り替えにくくし、表示部２８への表示をするようにするので、ユーザは設定変更操作を行いやすくなり、より所望の画像を得やすくなる。ＥＶＦ７６への表示を他のモードと同様に行った場合には、ユーザは項目の設定変更を行うことに気付かずに撮影を行ってしまう可能性があるが、上述した本実施形態のようにユーザの設定に関わらず表示部２８への表示をするとユーザは表示部２８の表示を見る。よって、ユーザが自撮りモードにおいて他の撮影モードにはないような設定変更可能な項目があることを仮に知らなかったとしても、表示先を表示部２８にしてタッチ操作を受け付けるようにするので、設定変更を行うことができる。
【０１２６】
また、ユーザが自撮りモードに設定した場合には、自身を撮影している可能性が高く、この場合ＥＶＦ７６ではなく表示部２８を見ながら撮影を行う可能性が高い。そのため、撮影準備をする際に、意図せず指等が接眼センサ７７に接近し、接眼検知されＥＶＦ７６に表示が切り替わらないので操作性が向上する。
【０１２７】
＜第二実施形態＞
第二実施形態は、デジタルカメラ１００の構成に関しては第１実施形態の図１及び図２と同様である。図７を用いて、第二実施形態における撮影処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影を行うための撮影モードに切り替えられると開始する。第二実施形態では、自撮りモードであれば切替条件２に設定し、切替処理において接眼検知をしてもＥＶＦ７６に表示をしにくくする。第二実施形態では自撮りモードであれば、パネル部８２が図１（ｄ）のように閉じられているか否かに関わらず、切替条件２に設定される。
【０１２８】
Ｓ７０１では、システム制御部５０は、現在設定されている撮影モードが自撮りモードか否かを判定する。自撮りモードは、モード切替スイッチ６０への操作またはメニュー画面において設定することができる。自撮りモードであると判定された場合は、Ｓ７０２へ進み、そうでない場合は、Ｓ７１２へ進む。
【０１２９】
Ｓ７０２では、システム制御部５０は、表示先の切替条件を切替条件２に設定し、システムメモリ５２に記憶させる。
【０１３０】
Ｓ７０３〜Ｓ７０４の処理は、図３のＳ３０２〜Ｓ３０３と同様の処理である。
【０１３１】
Ｓ７０５、Ｓ７０６の処理は、図３のＳ３０５、Ｓ３０６と同様の処理である。
【０１３２】
Ｓ７０７〜Ｓ７２５の処理は、図３のＳ３０８〜Ｓ３２６と同様の処理である。
【０１３３】
以上、説明した実施形態によれば、タッチ操作で項目の設定変更を行う自撮りモードに設定した場合に、ＥＶＦ７６への表示をしにくくし表示部２８への表示をするようにするので、ユーザは設定変更操作を行いやすくなり、より所望の画像を得やすくなる。つまり、自撮りモードの場合には表示部２８の表示が非表示になりにくくなる。第二実施形態によれば、切替処理がパターン１の場合には、自撮りモードに設定されたことに応じて切替条件２に設定されるので、ＥＶＦ７６をユーザが覗いてもＥＶＦ７６への表示は行わない。切替処理がパターン２の場合には、自撮りモードに設定されたことに応じて切替条件２に設定されるので、ＥＶＦ７６をユーザが所定時間以上覗かない限り、ＥＶＦ７６への表示は行わない。
【０１３４】
また、図１で示したデジタルカメラ１００のようにパネル部８２をタッチ操作が不可能な閉じる状態にすることができないような場合であっても本実施形態は適用可能である。上述した第一実施形態と第二実施形態では、表示部２８からＥＶＦ７６への表示を切り替えるか否かについて説明したが、本発明はＥＶＦ７６が装着されておらず、タッチ操作を受け付けるタッチパネルがある場合にも適用可能である。このようにＥＶＦ７６が装着されていない場合には、接眼検知もしないので、切替ボタン７３の押下により表示部２８の表示を非表示にする指示がされる。つまり、タッチ操作に応じて所定の処理が実行される例えば自撮りモードのような撮影モードであれば、切替ボタン７３により表示部２８を非表示にする指示がされても、パネル部８２が閉じていない限りは表示部２８を非表示にせず、表示したままにする。よって、タッチ操作に応じて所定の処理が実行されるような撮影モードに設定した場合に、タッチパネルへの表示が非表示にならず、ユーザは設定変更操作を行いやすくなり、より所望の画像を得やすくなる。
【０１３５】
上述した実施形態では、自撮りモードにおいてはタッチ操作によって項目の設定変更を行うため表示部２８の表示を非表示にしないようにすることを説明したが、自撮りモードにおいては以下のような場合も考えられる。ユーザは自撮りを行う際に、デジタルカメラ１００のようにパネル部８２が本体部に対して反転可能である場合には、パネル部８２を反転して被写体側に向けて撮影を行うと撮影される画像を確認しながら撮影を行うことができるので、自分撮りを行いやすい。例えば、パネル部８２を反転した状態で、表示部２８へのタッチ操作や、撮像レンズ１０３側に設けられたボタン操作等をしながらユーザは設定変更等の行うことができる。このとき、接眼センサ７７にユーザの指や壁等の物体が接近して表示部２８の表示が非表示になってしまうとユーザは撮影される画像を確認できなくなる。よって、接眼センサ７７に物体が接近したとしても、自撮りモードにおいて表示部２８を非表示にしないようにすることでユーザは撮影を行いやすくなる。
【０１３６】
また、自撮りモードは設定変更した美肌効果、明るさ設定、背景ぼかし等の効果を画像にかけて記録することを説明したが、画像に効果をかけるタイミングは記録時に限らず、また効果に関する設定変更をするタイミングも撮影開始前に限らない。すなわち、自撮りモードで撮影された画像には、再生モードにおいて効果を示すアイコンが画像と共に表示され、アイコンへのタッチ操作や、操作部材への操作で効果を設定できるようにしてもよい。レックレビュー中に撮影された画像を確認しながら効果を設定できるようにしてもよい。また自撮りモード以外のオート撮影モード等でも、美肌効果、明るさ設定、背景ぼかし等の効果をかけられるようにしてもよいが、自撮りモードのように人物の顔に効果をかける頻度は低い可能性が高い。よって、自撮りモードのように、すぐに画像にかける効果を設定できるようにアイコンを表示してしまうと、効果をかけないユーザにとっては必要が無いので、自撮りモードのように容易に効果を受け付けないようにする。言い換えると、自撮りモードでない撮影モードでは、効果をかけるための手順が多くなる。
【０１３７】
また、上述した実施形態においては、表示部２８からＥＶＦ７６へ表示が切り替わる際に、表示部２８に表示されていた画像とアイコンが共に非表示になることを説明したがこれに限らず、例えば一部の表示が残っていてもよい。すなわち、電池容量を示すアイコンが表示されたままであったり、アイコンが非表示になるが画像は表示されたままであってもよい。
【０１３８】
なお、本実施形態では自撮りモードを例に挙げて説明をしたが、これに限らず本実施形態では、タッチ操作で設定変更や撮影指示を受け付けるようなモードであれば適用可能である。つまり、タッチＡＦ、タッチＡＥ等の処理を行う位置の設定をタッチ操作で行うようなモードや、タッチＡＦ、タッチＡＥ等の処理に続いて撮影を行うようなモードであればよい。
【０１３９】
また、表示先の切り替え指示は、切替ボタン７３もしくはメニュー画面における設定において行えることを説明したが、必ずしも両方で切り替え指示ができなくてもよく、いずれかで切り替え指示ができるような場合でもよい。
【０１４０】
なお、本実施形態では、自撮りモードの場合には切替ボタン７３への押下は無効であることを説明したが、自撮りモードにおいてパネル部８２が閉じられている場合には切替ボタン７３の押下によって表示先を切り替えるようにしてもよい。すなわち、自撮りモードでパネル部８２が閉じていない場合には、表示部２８への表示がされた状態で、切替ボタン７３が押下されてもＥＶＦ７６へ表示を切り替えない。パネル部８２が閉じていない場合には、表示部２８の表示がされた状態で、切替ボタン７３の押下がされるとＥＶＦ７６に表示を切り替える。
【０１４１】
なお、本実施形態では、静止画を撮影するものとして説明をしたが、動画等の撮影であっても適用可能である。
【０１４２】
また、本実施形態では、ＥＶＦを用いて説明をしたが、これに限らず外部機器に画像を表示するような場合であっても適用可能である。例えば、デジタルカメラ１００に直接操作をする、ユーザからのタッチ操作を受け付け可能な表示部と、デジタルカメラ１００から離れた位置にある外部表示部への表示を切り替え可能な場合にも適用可能である。このような場合にも、ユーザの設定に関わらず外部表示部に表示をしにくくして、ユーザのタッチ操作を受け付け可能な表示部に表示をするようにするので、項目の設定変更を行うことができ、ユーザは効果をつけた画像を得やすくなる。
【０１４３】
さらに、自撮りモードにかけることのできる効果としては、しみなどを目立たなくする効果、顔や体を細く表示する効果、顔のしわを消す効果が含まれてもよい。
【０１４４】
なお、撮像制御装置の制御は１つのハードウェアが行ってもよいし、複数のハードウェアが処理を分担することで、装置全体の制御を行ってもよい。
【０１４５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１４６】
また、上述した実施形態では、本発明をデジタルカメラ１００に適用した場合を例にして説明したが、これはこの例に限定されず、タッチ操作を受け付ける表示部へ表示の制御が可能な撮像制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。また、上述した表示装置と、ＥＶＦや外部表示装置への表示の切り替えを行うことのできる撮像制御装置にも適用可能である。
【０１４７】
＜他の実施形態＞
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2019198076.tif 000003
【図２】
2019198076.tif 000004
【図３】
2019198076.tif 000005
【図４】
2019198076.tif 000006
【図５】
2019198076.tif 000007
【図６】
2019198076.tif 000008
【図７】
2019198076.tif 000009
【図８】
2019198076.tif 000010